(57)【要約】      （修正有）【課題】使い勝手のよいリモートコントローラを提供する。【解決手段】リモートコントローラ１００は、球形状や卵形状の筐体１０１を有するロボットによって実現される。そして、目や、口や、各部の境界線、などを設けることによって、ユーザから、頭部１０２と認識される部分を有する。特に、本実施の形態においては、頭部１０２に、角のように、突起部１９９が形成される。そして、当該突起部１９９の内側に赤外線発信部１９０が設けられる。【選択図】図１
2019220904.tif 000002
【特許請求の範囲】
【請求項１】
筐体と、
前記筐体から外側へ飛び出している突起部と、
前記突起部の内側に配置される赤外線発信部と、を備えるリモートコントローラ。
【請求項２】
前記赤外線発信部は、
基板と、
前記基板の両側に取り付けられる複数のＩＲエミッタと、を含む、請求項１に記載のリモートコントローラ。
【請求項３】
前記複数のＩＲエミッタは、少なくとも１つの側面用のＩＲエミッタと、少なくとも１つの天面用のＩＲエミッタとを含む、請求項２に記載のリモートコントローラ。
【請求項４】
前記リモートコントローラは、ロボットであって、
前記突起部は、前記ロボットの天頂付近に設けられる、請求項１から３のいずれか１項に記載のリモートコントローラ。
【請求項５】
前記リモートコントローラは、ロボットであって、
前記突起部は、前記ロボットの天頂付近から第１の方向に下がった位置に設けられ、
前記第１の方向とは異なる位置に設けられる第２の赤外線発信部をさらに備える、請求項１から３のいずれか１項に記載のリモートコントローラ。
【発明の詳細な説明】
【技術分野】
【０００１】
本発明は、赤外線などの制御信号を発信するためのリモートコントローラの技術に関する。
【背景技術】
【０００２】
従来から、赤外線などを利用して機器をリモートコントロールするための技術が知られている。たとえば、特開２００７−１３２５１号公報（特許文献１）には、リモコン発信機が開示されている。特許文献１によると、赤外線を出射する発光部と前記発光部から出射された光を集光するレンズと前記レンズの焦点付近に位置する反射体と前記反射体を揺動または回転させる駆動部を備えることで、リモコン受信機の発光部から出射された赤外線を一旦レンズで集光し、その焦点付近に位置させた反射体を揺動または回転させることで、発光部から出射される赤外線の反射角度を可変し、リモコン発信機の指向性切り替えを可能とする。
【０００３】
また、特開平８−１７２４００号公報（特許文献２）には、リモコン受光装置が開示されている。特許文献２によると、機器外郭に設けられた赤外光透過窓と、赤外線信号を受光し電気信号に変換する受光素子との間に赤外光を導光する導光材を設けるという構成を備えたものである。
【０００４】
また、特開平３−７１１２号公報（特許文献３）には、電気調理器のリモートコントローラが開示されている。特許文献３によると、調理器本体の上部、または下部に透明な樹脂、またはガラス製の受光部材を露出して本体の全周囲方向に開口させて設け、前記受光部材からの入射光を受信部に導く導光部材と、赤外線検出器よりなる受信部材を設けた受信部を設け、前記受信部よりの赤外線を発熱体の制御回路の赤外線受光部に設け、本体の全周囲、どの方向からの入射光に対しても動作することを特徴とする電気調理器のリモートコントローラが提供される。
【先行技術文献】
【特許文献】
【０００５】
【特許文献１】特開２００７−１３２５１号公報
【特許文献２】特開平８−１７２４００号公報
【特許文献３】特開平３−７１１２号公報
【発明の概要】
【発明が解決しようとする課題】
【０００６】
本発明の目的は、使い勝手のよいリモートコントローラを提供することにある。
【課題を解決するための手段】
【０００７】
本発明のある態様に従うと、筐体と、筐体から外側へ飛び出している突起部と、突起部の内側に配置される赤外線発信部と、を備えるリモートコントローラが提供される。
【発明の効果】
【０００８】
以上のように、本発明によれば、使い勝手のよいリモートコントローラが提供される。
【図面の簡単な説明】
【０００９】
【図１】第１の実施の形態にかかるリモートコントローラ１００を示す斜視図である。
【図２】第１の実施の形態にかかる別の形状のリモートコントローラ１００を示す斜視図である。
【図３】第１の実施の形態にかかるリモートコントローラ１００が利用されるネットワークシステム１の全体構成とリモコン学習時の動作概要とを示す図である。
【図４】第１の実施の形態にかかるリモートコントローラ１００の構成を示すブロック図である。
【図５】第１の実施の形態にかかるリモートコントローラ１００の頭部１０２の構成を示す上方斜視図である。
【図６】第１の実施の形態にかかるリモートコントローラ１００の頭部１０２の構成を示す下方斜視図である。
【図７】第１の実施の形態にかかるＩＲ−ＬＥＤ基板１９１の第１の面を示す平面図である。
【図８】第１の実施の形態にかかる側面発光用のＩＲ−ＬＥＤ１９２Ａの上面図と側面図である。
【図９】第１の実施の形態にかかる天面発光用のＩＲ−ＬＥＤ１９３Ａの上面図と側面図である。
【図１０】第１の実施の形態にかかるＩＲ−ＬＥＤ基板１９１の第２の面を示す平面図である。
【図１１】第１の実施の形態にかかる赤外線発信部１９０を示す斜視図である。
【図１２】第１の実施の形態にかかるリモートコントローラ１００の赤外線の照射範囲を示すイメージ図である。
【図１３】第３の実施の形態にかかるリモートコントローラ１００の構成を示すブロック図である。
【図１４】第３の実施の形態にかかるリモートコントローラ１００を示す斜視図である。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜リモートコントローラ１００の外観＞
【００１１】
まず、図１を参照して本実施の形態にかかるリモートコントローラ１００の外観について説明する。本実施の形態にかかるリモートコントローラ１００は、球形状や卵形状の筐体１０１を有するロボットによって実現される。そして、目や、口や、各部の境界線、などを設けることによって、ユーザから、頭部１０２と認識される部分を有する。特に、本実施の形態においては、頭部１０２に、角のように、突起部１９９が形成される。そして、当該突起部１９９の内側に赤外線発信部１９０が設けられる。
【００１２】
なお、より詳細には、図１のように頭部１０２の天頂よりも後寄りに赤外線発信部１９０を内包する突起部１９９が形成されてもよいし、図２のように頭部１０２の天頂付近に赤外線発信部１９０を内包する突起部１９９が形成されてもよい。
【００１３】
そして、リモートコントローラ１００は、単にチャンネルボタンなどが表面に設けられて、当該ボタンに応じた制御信号の赤外線を発信するだけの簡単なものであってもよいし、クラウドサービスなどと連携してユーザの音声命令に応じて各種の処理を実行できるものであってもよい。以下では、リモートコントローラ１００の利用の一例について説明する。
＜ネットワークシステム１の全体構成＞
【００１４】
図３を参照して本実施の形態にかかるネットワークシステム１の全体構成について説明する。本実施の形態にかかるネットワークシステム１は、主に、サーバ２００と、インターネットやルータなどを介してサーバ２００と通信することによって各種サービスをユーザに提供してくれるロボット形状の筐体を有するリモートコントローラ１００と、エアコン３００Ａやテレビ３００Ｂなどの電気機器と、エアコン３００Ａやテレビ３００Ｂなどの電気機器のためのリモートコントローラ３００Ｘと、を含む。
【００１５】
なお、電気機器は、エアコン３００Ａやテレビ３００Ｂに限らず、冷蔵庫、電子レンジ、洗濯機、掃除機、空気清浄器、加湿器、除湿器、炊飯器、照明などの家電、ハードディスクレコーダ、プロジェクタ、音楽プレーヤ、ゲーム機、パーソナルコンピュータ、携帯電話、スマートフォンなどのＡＶ（オーディオ・ビジュアル）機器、組み込み照明、太陽光発電機、インターホン、給湯器、温水洗浄便座コントローラなどの住宅設備、などであってもよい。なお、以下では、これらの装置を総称して、電気機器３００ともいう。
＜ネットワークシステム１の簡単リモコン学習時の動作概要＞
【００１６】
本実施の形態においては、リモートコントローラ１００が、一台で、複数のリモコン３００Ｘの役割を果たすことができるものである。より詳細には、リモートコントローラ１００は、複数種類の電気機器３００を制御するためのユーザ命令を受け付けて、複数種類の電気機器３００の制御信号を発信することができるものである。ここでは、動作概要として、リモートコントローラ１００に電気機器３００の制御信号を覚えさせるための処理のうちの「簡単リモコン学習」について説明する。なお、本実施の形態におけるサーバ２００やリモートコントローラ１００は、他にも、標準的な制御命令に対応する制御信号をユーザが登録していく「音声ガイダンス学習」や、ユーザ所望の制御命令と制御信号とをユーザが登録する「こだわり個別学習」も可能である。
【００１７】
（１）まず、ユーザが、リモートコントローラ１００のために、電気機器３００の専用リモコン３００Ｘの制御信号の学習を開始するための命令をリモートコントローラ１００に入力する。すると、リモートコントローラ１００は、サーバ２００からの指示に基づいて、ユーザに家電の種類とメーカ名とを要求し、リモコン３００Ｘからの所定の制御信号も要求する。
【００１８】
（２）ユーザがリモートコントローラ１００に向けてリモコン３００Ｘの所定のボタンを押すと、リモートコントローラ１００は、リモコン３００Ｘからの制御信号を検知して、家電名とメーカ名と制御信号とをサーバ２００に送信する。サーバ２００は、複数種類の家電と複数種類のメーカとに対応した複数種類の制御信号の組み合わせのデータベースから、当該条件にマッチする制御信号の組み合わせを検索する。
【００１９】
（３）サーバ２００は、家電名とメーカ名と制御信号とに対応する制御信号の組み合わせをリモートコントローラ１００にダウンロードする。本実施の形態においては、電気機器３００の各々が１つの電気機器３００の制御のために取得・利用する複数の制御信号を、まとめて、制御信号の組み合わせという。
【００２０】
（４）リモートコントローラ１００は、サーバ２００からダウンロードしたテレビのための制御信号の組み合わせを自身に格納する。
【００２１】
（５）そのあとは、ユーザの「テレビをつけて。」などという音声命令に基づいて、リモートコントローラ１００がテレビを制御することができる。ただし、リモートコントローラ１００は、制御信号の組み合わせを特定するための情報のみを格納して、ユーザからの制御命令を受け付ける度に当該情報に基づいてサーバ２００から制御信号をダウンロードして電気機器３００に発信してもよい。
【００２２】
このように、本実施の形態においては、ユーザがリモートコントローラ１００に面倒な情報を手入力することなく、リモートコントローラ１００が電気機器３００のリモコンとして動作し始めてくれる。本実施の形態にかかるネットワークシステム１は、上述した通り他の方法のリモコン信号の学習も可能である。
＜リモートコントローラ１００の構成＞
【００２３】
次に、図４を参照して、本実施の形態にかかる各種サービスに対応した機能を有するリモートコントローラ１００の構成の一態様について説明する。リモートコントローラ１００は、主たる構成要素として、ＣＰＵ１１０と、メモリ１２０と、ディスプレイ１３０と、操作部１４０と、カメラ１５０、通信インターフェイス１６０と、スピーカ１７０と、マイク１８０と、赤外線発信部１９０とを含む。
【００２４】
ＣＰＵ１１０は、メモリ１２０あるいは外部の記憶媒体に記憶されているプログラムを実行することによって、リモートコントローラ１００の各部を制御する。
【００２５】
メモリ１２０は、各種のＲＡＭや、各種のＲＯＭなどによって実現される。メモリ１２０は、ＣＰＵ１１０によって実行されるプログラムや、ＣＰＵ１１０によるプログラムの実行により生成されたデータ、サーバ２００や他のサーバから受信したデータ、操作部１４０を介して入力されたデータ、電気機器３００の制御信号などを記憶する。なお、メモリ１２０が複数種類の電気機器３００の制御信号の組み合わせを長期間格納するものであってもよいし、制御命令が入力される度にＣＰＵ１１０がサーバ２００から対応する制御信号を一時的に取得して赤外線発信部１９０から発信するものであってもよい。
【００２６】
ディスプレイ１３０は、ＣＰＵ１１０からの信号に基づいて、文字や画像などを出力する。ディスプレイ１３０は、単にライトであってもよい。
【００２７】
操作部１４０は、ボタン、タッチパネルなどによって実現され、ユーザからの命令を受け付けて、当該命令をＣＰＵ１１０に入力する。なお、ディスプレイ１３０と操作部１４０とは、タッチパネルを構成してもよい。
【００２８】
また、操作部１４０は、近接センサや温度センサなどであってもよい。この場合は、ＣＰＵ１１０は、操作部１４０としての近接センサや温度センサを介して、ユーザがリモートコントローラ１００に手をかざしたことを検知して、各種の動作を開始する。たとえば、近接センサが額の近辺に配置されることによって、ユーザがリモートコントローラ１００をなでたり・たたいたりすることをリモートコントローラ１００が検知して、ユーザ操作として受け付けてもよい。
【００２９】
カメラ１５０は、画像を撮影して、画像データをＣＰＵ１１０に受け渡す。ＣＰＵ１１０は、カメラ１５０からの画像データに基づいてユーザの動きを操作命令として特定してもよいし、画像データをサーバ２００に提供してサーバ２００がユーザの動きを操作命令として特定してもよい。
【００３０】
通信インターフェイス１６０は、無線ＬＡＮ通信あるいは有線ＬＡＮなどの通信モジュールによって実現される。通信インターフェイス１６０は、有線通信あるいは無線通信によってサーバ２００などの他の装置との間でデータをやり取りする。
【００３１】
スピーカ１７０は、ＣＰＵ１１０からの信号に基づいて、音声を出力する。より詳細には、本実施の形態においては、ＣＰＵ１１０は、通信インターフェイス１６０を介してサーバ２００から受信した音声データに基づいてスピーカ１７０に音声メッセージを出力させる。なお、テキストから音声データに変換する処理は、リモートコントローラ１００で行われてもよいし、サーバ２００で行われてもよい。
【００３２】
マイク１８０は、外部からの音声に基づいて音声信号を作成し、ＣＰＵ１１０に入力する。より詳細には、本実施の形態においては、ＣＰＵ１１０は、マイク１８０から取得した音声データを、通信インターフェイス１６０を介してサーバ２００に送信する。なお、音声データの解析処理は、リモートコントローラ１００で行われてもよいし、サーバ２００で行われてもよい。
【００３３】
赤外線発信部１９０は、リモートコントローラ１００の筐体１０１に形成される突起部１９９の内側に配置されており、ＣＰＵ１１０からの信号に応じて、リモートコントローラ１００の周囲の各方向に赤外線信号を発信する。赤外線発信部１９０の構成については後述する。
＜赤外線発信部１９０の構成＞
【００３４】
以下では、図５〜図１２を参照しながら、本実施の形態にかかる赤外線発信部１９０の構成について説明する。
【００３５】
まず、図５および図６を参照して、本実施の形態にかかるリモートコントローラ１００の筐体１０１の頭部１０２には、突起部１９９が形成される。突起部１９９は、赤外線を透過する透明または乳白色の樹脂などで構成されることが好ましい。そして、突起部１９９の内側には、赤外線発信部１９０が取り付けられる。
【００３６】
より詳細には、本実施の形態においては、リモートコントローラ１００においては、頭部１０２と胴体部との境界部分に、メイン基板１０９が略水平に配置される。そして、メイン基板１０９の表面には、赤外線発信部１９０が立設される。赤外線発信部１９０は、メイン基板１０９に接着剤やネジなどによって起立した状態で固設されるものであってもよいし、メイン基板１０９の一部が折り曲げられたりして形成されるものであってもよい。メイン基板１０９と、赤外線発信部１９０とは、ケーブル１０８によって接続される。
【００３７】
赤外線発信部１９０は、主に、図７および図１０に示すＩＲ−ＬＥＤ基板１９１によって構成される。
【００３８】
図７に示すように、ＩＲ−ＬＥＤ基板１９１は、凸形状あるいはアルファベットのＴ形状あるいは三角形状などに形成される。そして、ＩＲ−ＬＥＤ基板１９１の表面には、複数のＩＲ−ＬＥＤと、接続用コネクタなどが取り付けられる。
【００３９】
ＩＲ−ＬＥＤ基板１９１は、その表面の、先端部１９１Ｘに、側面発光用の３つの指向性ＩＲ−ＬＥＤ１９２Ａ，１９２Ｂ，１９２Ｃが取り付けられる。第１の側面発光用のＩＲ−ＬＥＤ１９２Ａは、先端部１９１Ｘのうちの、ＩＲ−ＬＥＤ基板１９１の表面に向かって、すなわち図７において、上部に取り付けられる。第２の側面発光用のＩＲ−ＬＥＤ１９２Ｂは、先端部１９１Ｘのうちの、ＩＲ−ＬＥＤ基板１９１の表面に向かって、すなわち図７において、左部に取り付けられる。第３の側面発光用のＩＲ−ＬＥＤ１９２Ｃは、先端部１９１Ｘのうちの、ＩＲ−ＬＥＤ基板１９１の表面に向かって、すなわち図７において、右部に取り付けられる。
【００４０】
図８に示すように、側面発光用の３つの指向性ＩＲ−ＬＥＤ１９２Ａ，１９２Ｂ，１９２Ｃの各々の照射方向は、ＩＲ−ＬＥＤ基板１９１の先端方向を中心に、すなわち図８に上面図において上方を中心に、左に７０°以内かつ右に７０°以内であって、ＩＲ−ＬＥＤ基板１９１の面に平行な方向から見て、すなわち図８の側面図において、斜め上方を中心に上に３５°以内かつ下に３５°以内である。
【００４１】
図７に戻って、ＩＲ−ＬＥＤ基板１９１は、その表面の、先端部１９１Ｘに、天面発光用の２つの指向性ＩＲ−ＬＥＤ１９３Ａ，１９３Ｂが取り付けられる。２つの指向性ＩＲ−ＬＥＤ１９３Ａ，１９３Ｂは、側面発光用の３つの指向性ＩＲ−ＬＥＤ１９２Ａ，１９２Ｂ，１９２Ｃの間に配置される。
【００４２】
図９に示すように、天面発光用の２つの指向性ＩＲ−ＬＥＤ１９３Ａ，１９３Ｂの各々の照射方向は、ＩＲ−ＬＥＤ基板１９１の垂直方向を中心として、そこから６０°以内のエリアである。
【００４３】
図１０に示すように、ＩＲ−ＬＥＤ基板１９１の裏面は、表面と同様の構成を有しているため、ここでは説明を繰り返さない。なお、本実施の形態のように、１枚のＩＲ−ＬＥＤ基板１９１の両面に複数のＩＲ−ＬＥＤを取り付けてもよいし、複数のＩＲ−ＬＥＤを取り付けた２枚のＩＲ−ＬＥＤ基板の裏面同士を貼り合わせるものであってもよい。
【００４４】
このように構成されているため、図１１に示すように、本実施の形態においては、赤外線発信部１９０の先端部１９１Ｘから、その基部の方向を除き、ほぼ全ての方向に赤外線を発することができる。
【００４５】
そして、図１２に示すように、本実施の形態にかかるリモートコントローラ１００に関しては、その突起部１９９すなわち赤外線発信部１９０から、リモートコントローラ１００の本体すなわち筐体１０１以外のほぼ全ての方向に赤外線を発信することができる。これによって、リモートコントローラ１００から見て電気機器３００がどの方向に位置しても、赤外線の制御信号が電気機器３００に入力されやすくなる。
＜第２の実施の形態＞
【００４６】
第１の実施の形態においては、リモートコントローラ１００の筐体１０１の頭部１０２の天頂部分または頭部１０２の天頂よりも後寄りに赤外線発信部１９０を設けるものであった。しかしながら、赤外線発信部１９０は、別の場所に取り付けられてもよい。たとえば、リモートコントローラ１００がロボット形状の筐体１０１を有しており、鼻が突起部１９９に該当し、鼻の内側に赤外線発信部１９０が配置されてもよいし、しっぽが突起部１９９に該当し、しっぽの内側に赤外線発信部１９０が配置されてもよい。
【００４７】
また、リモートコントローラ１００の筐体１０１は、ロボットの形状には限られない。ボールや、立方体や、直方体や、円柱などの形状であってもよい。
＜第３の実施の形態＞
【００４８】
また、リモートコントローラ１００は、図１３に示すように、突起部１９９に内包される赤外線発信部１９０を複数有してもよい。
【００４９】
あるいは、リモートコントローラ１００は、図１４に示すように筐体１０１の後上方に突起部１９９が形成され、当該突起部１９９の内側に赤外線発信部１９０を設けつつ、筐体１０１の前面に、突起部１９９の無い赤外線発信部１９０Ｃを設けてもよい。つまり、リモートコントローラ１００の筐体１０１のうちの、突起部１９９とは逆の面に、突起部１９９の無い赤外線発信部１９０Ｃを設けてもよい。
【００５０】
あるいは、リモートコントローラ１００は、筐体１０１の左右に突起部１９９，１９９が形成され、当該突起部１９９，１９９の内側に赤外線発信部１９０，１９０が設けられつつ、筐体１０１の前部と後部とに、突起部１９９の無い赤外線発信部１９０が設けられてもよい。
＜第４の実施の形態＞
【００５１】
上記の実施の形態においては、突起部１９９に内包される赤外線発信部１９０を有するリモートコントローラ１００について説明したが、赤外線発信部１９０の代わりに、突起部１９９に内包される赤外線受光部を搭載してもよい。この場合は、ＩＲ−ＬＥＤ基板１９１やＩＲ−ＬＥＤ基板１９１には、ＩＲ−ＬＥＤ１９２Ａ，１９２Ｂ，１９２ＣやＩＲ−ＬＥＤ１９３Ａ，１９３Ｂの代わりに、複数のＩＲ受光部が取り付けられる。
【００５２】
あるいは、リモートコントローラ１００は、突起部１９９の内側の赤外線発信部１９０と共に、別の突起部１９９の内側に配置される赤外線受光部も搭載してもよい。あるいは、１つまたは複数の突起部１９９の各々の内側に、制外線発信用の基板と赤外線受信用の基板とを有してもよい。あるいは、１つまたは複数の突起部１９９の各々の内側に配置される１つまたは複数の基板の各々の表面にＩＲ−ＬＥＤとＩＲ受光部とが取り付けられてもよい。
＜まとめ＞
【００５３】
上記の実施の形態においては、筐体１０１と、筐体１０１から外側へ飛び出している突起部１９９と、突起部１９９の内側に配置される赤外線発信部１９０と、を備えるリモートコントローラ１００が提供される。
【００５４】
好ましくは、赤外線発信部１９０は、基板１９１と、基板１９１の両側に取り付けられる複数のＩＲエミッタ１９２Ａ，１９３Ａと、を含む。
【００５５】
好ましくは、複数のＩＲエミッタ１９２Ａ，１９３Ａは、少なくとも１つの側面用のＩＲエミッタ１９２Ａと、少なくとも１つの天面用のＩＲエミッタ１９３Ａとを含む。
【００５６】
好ましくは、リモートコントローラ１００は、ロボットである。突起部１９９は、ロボットの天頂付近に設けられる。
【００５７】
好ましくは、リモートコントローラ１００は、ロボットである。突起部１９９は、ロボットの天頂付近から第１の方向に下がった位置に設けられる。リモートコントローラ１００は、第１の方向とは異なる位置に設けられる第２の赤外線発信部１９０Ｃをさらに備える。
【００５８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５９】
１          ：ネットワークシステム
１００      ：リモートコントローラ
１０１      ：筐体
１０２      ：頭部
１０８      ：ケーブル
１０９      ：メイン基板
１１０      ：ＣＰＵ
１２０      ：メモリ
１３０      ：ディスプレイ
１４０      ：操作部
１５０      ：カメラ
１６０      ：通信インターフェイス
１７０      ：スピーカ
１８０      ：マイク
１９０      ：赤外線発信部
１９０Ｂ    ：赤外線発信部
１９０Ｃ    ：赤外線発信部
１９１      ：ＩＲ−ＬＥＤ基板
１９１ＢＢ  ：先端部
１９１Ｘ    ：先端部
１９２Ａ    ：ＩＲ−ＬＥＤ
１９２Ｂ    ：ＩＲ−ＬＥＤ
１９２Ｃ    ：ＩＲ−ＬＥＤ
１９３Ａ    ：ＩＲ−ＬＥＤ
１９３Ｂ    ：ＩＲ−ＬＥＤＬＥＤ
１９９      ：突起部
２００      ：サーバ
３００      ：電気機器
３００Ａ    ：エアコン
３００Ｂ    ：テレビ
３００Ｘ    ：リモコン
【図１】
2019220904.tif 000003
【図２】
2019220904.tif 000004
【図３】
2019220904.tif 000005
【図４】
2019220904.tif 000006
【図５】
2019220904.tif 000007
【図６】
2019220904.tif 000008
【図７】
2019220904.tif 000009
【図８】
2019220904.tif 000010
【図９】
2019220904.tif 000011
【図１０】
2019220904.tif 000012
【図１１】
2019220904.tif 000013
【図１２】
2019220904.tif 000014
【図１３】
2019220904.tif 000015
【図１４】
2019220904.tif 000016